(57)【要約】      （修正有）【課題】災害時における避難時にも安定よく、且つ容易に乳児を搬送でき、搬送中の乳児に対する安全性を高める避難用キャリークーハンを提供する。【解決手段】収容部１と、カバー部２と、固定ベルト部３と、肩掛けストラップ部４とを備え、収容部１は、上方を開口部１０とし、底部に乳児Ｂを寝かせるスペースが確保された箱状に形成され、カバー部２は、開口部１０の頭部側に、寝かされた乳児Ｂの頭部Ｂ１から顔面Ｂ３を覆うように設けられた頭部カバー体２Ａと、乳児Ｂの脚部から胸部にわたる範囲を上から被せて覆うように設けられた身体部カバー体２Ｂとを備え、固定ベルト部３は、長手方向を寝かされた乳児Ｂの身体の幅方向として、乳児Ｂを跨ぐように設けられ、肩掛けストラップ部４は、長手方向を乳児Ｂの身体の幅方向として、乳児Ｂの身長側で隣り合うと共に、開口部１０を跨ぐように設けられた２本のストラップ４Ａ、４Ｂが備えられている。【選択図】図２
0003218490.tif 000002
【実用新案登録請求の範囲】
【請求項１】
収容部と、カバー部と、固定ベルト部と、肩掛けストラップ部とを備え、
前記収容部は、上方を開口部とし、底部に乳児を寝かせるスペースが確保された箱状に形成され、
前記カバー部は、前記開口部の頭部側に、寝かされた前記乳児の頭部から顔面を覆うように設けられた頭部カバー体と、前記底部に寝かされた前記乳児の脚部から胸部にわたる範囲を上から被せて覆うように設けられた身体部カバー体とを備え、
前記固定ベルト部は、長手方向を寝かされた前記乳児の身体の幅方向として、前記乳児を跨ぐように設けられ、
前記肩掛けストラップ部は、長手方向を前記乳児の身体の幅方向として、前記乳児の身長側で隣り合うと共に、前記開口部を跨ぐように設けられた２本のストラップが備えられている避難用キャリークーハン。
【請求項２】
前記収容部、前記カバー部、前記固定ベルト部、前記肩掛けストラップ部が、難燃性及び柔軟性並びに防水性を有している請求項１に記載の避難用キャリークーハン。
【請求項３】
前記収容部に反射体が配されている請求項１又は２に記載の避難用キャリークーハン。
【考案の詳細な説明】
【技術分野】
【０００１】
本考案は、避難時に乳児を収容して搬送する避難用キャリークーハンに関する。
【背景技術】
【０００２】
キャリークーハンは、例えば、下記特許文献１に記載されているように、乳児が収容される籠状のクーハン本体と、クーハン本体の開口縁に設けられた把手とを備えており、クーハン本体に乳児を寝かせながら把手を持ったり、片側の肩に掛けたりして搬送できるものである。
【先行技術文献】
【特許文献】
【０００３】
【特許文献１】登録実用新案第３０５６６５１号公報
【考案の概要】
【考案が解決しようとする課題】
【０００４】
しかしながら、特許文献１に記載のキャリークーハンは、把手を持ったり、片側の肩に掛けたりしたときに、キャリークーハンが搬送者の脇側に位置した状態となる上に、クーハン本体の上部が全て開放されているため、災害等における避難時に搬送するには、不安定であると共に、極めて困難であり、且つ乳児への危険性が高いという問題がある。
【０００５】
すなわち、特許文献１に記載のキャリークーハンは、災害時における避難時に使用するということが想定されてないため、災害時における避難時にも安定よく、且つ容易に搬送でき、しかも乳児に対する安全性を高めたキャリークーハンが求められている。
【課題を解決するための手段】
【０００６】
収容部と、カバー部と、固定ベルト部と、肩掛けストラップ部とを備え、前記収容部は、上方を開口部とし、底部に乳児を寝かせるスペースが確保された箱状に形成され、前記カバー部は、前記開口部の頭部側に、寝かされた前記乳児の頭部から顔面を覆うように設けられた頭部カバー体と、前記底部に寝かされた前記乳児の脚部から胸部にわたる範囲を上から被せて覆うように設けられた身体部カバー体とを備え、前記固定ベルト部は、長手方向を寝かされた前記乳児の身体の幅方向として、前記乳児を跨ぐように設けられ、前記肩掛けストラップ部は、長手方向を前記乳児の身体の幅方向として、前記乳児の身長側で隣り合うと共に、前記開口部を跨ぐように設けられた２本のストラップが備えられている避難用キャリークーハンにしたことである。
【０００７】
前記収容部、前記カバー部、前記固定ベルト部、前記肩掛けストラップ部が、難燃性及び柔軟性を有していることが好ましい。
【０００８】
前記収容部に反射体が配されていることが好ましい。
【図面の簡単な説明】
【０００９】
【図１】本考案に係る避難用キャリークーハンに乳児を寝かせた状態を示す使用状態図である。
【図２】避難用キャリークーハンを搬送者が担いだ状態を示す使用状態図である。
【図３】図１の(３)-(３)線断面図である。
【考案を実施するための形態】
【００１０】
以下、本考案に係る実施形態の避難用キャリークーハン（以下「キャリークーハン」という）Ａを図１〜図３に基づいて説明する。
【００１１】
キャリークーハンＡは、図１に示すように、収容部１と、頭部カバー体２Ａと身体部カバー体２Ｂとでなるカバー部２と、固定ベルト部３と、肩掛けストラップ部４と、反射体５を備えている。
【００１２】
キャリークーハンＡによる搬送時においては、図２に示すように、収容部１が搬送者Ｃの身体の腹側に位置すると共に、収容部１に収容された乳児Ｂの身長方向（収容部１の長手方向）が搬送者Ｃの身体の幅方向に沿うように担ぐようにされており、搬送時において、搬送者Ｃが収容部１を腕Ｃ１で支えることができると共に、乳児Ｂの状態を常時確認できるようになっている。
【００１３】
収容部１及びカバー部２は、内部に難燃性及び柔軟性を有するクッション材（図示せず）を介在させて、夫々難燃性及び柔軟性並びに防水性を有する外装材と内装材とを縫製して所定形状に形成されており、搬送時において、火の粉、飛来物、雨等から乳児Ｂを保護できると共に、仕舞い時に容易に折り畳むことができるようになっている。
【００１４】
収容部１は、図３に示すように、上方を開口部１０とし、底部１１に乳児Ｂを寝かせるスペースが確保された箱状を呈しており、収容部１の頭部側（底部１１に寝かされた乳児Ｂの頭部Ｂ１側）に頭部カバー体２Ａが設けられ、脚部側（底部１１に寝かされた乳児Ｂの脚部Ｂ２側）に身体部カバー体２Ｂが設けられている。
【００１５】
頭部カバー体２Ａは、図３に示すように、収容部１の開口部１０の頭部側に設けられ、寝かされた乳児Ｂの頭部Ｂ１から顔面Ｂ３を覆うことができる大きさのフード状に形成されている。
【００１６】
身体部カバー体２Ｂは、図３に示すように、収容部１の脚部側に設けられ、寝かされた乳児Ｂの脚部Ｂ２から胸部Ｂ４の範囲を上から被せて覆うことができる長さとして形成されていると共に、収容部１の脚部側に対応する一部がフード状に形成されている。
【００１７】
身体部カバー体２Ｂの上面には、固定ベルト部３が挿通される挿通カバー体２０Ｂが設けられており、固定ベルト部３の挿通時に、後述のバックル部３Ｃを挿通カバー体２０Ｂでカバーすることで、身体部カバー体２Ｂにおけるバックル部３Ｃを隠して、搬送中でのバックル部３Ｃの外れを防止することができる。
【００１８】
身体部カバー体２Ｂは、寝かされた乳児Ｂに対して被せた状態から脚部側にめくり上げて乳児Ｂを露出させることができるようにされており、身体部カバー体２Ｂをめくり上げた状態において乳児Ｂを収容部１に収容したり、乳児Ｂを収容部１から出したりするようになっている。
【００１９】
固定ベルト部３は、長手方向を寝かされた乳児Ｂの身体の幅方向として、この幅方向側の底部１１に設けられたベルト体３Ａ、３Ｂと、ベルト体３Ａ、３Ｂの自由端に設けられた着脱自在、且つベルト体３Ａ、３Ｂ同士を連結すると共に、ベルト体３Ａ、３Ｂの長さを調節自在なバックル部３Ｃとを備えている。
【００２０】
固定ベルト部３は、身体部カバー体２Ｂを乳児Ｂに被せた状態で、ベルト体３Ａ、３Ｂを乳児Ｂの身体の上に跨がせると共に、挿通カバー体２０Ｂに挿通して、長さ調節しながらバックルＣで連結することで、乳児Ｂの身体をずれないように固定することができると共に、固定ベルト部３を直接乳児Ｂに接触させないようにすることができる。
【００２１】
肩掛けストラップ４は、長手方向を乳児Ｂの身体の幅方向として、収容部１の頭部Ｂ１側と脚部Ｂ２側とに隣り合うように設けられた２本のストラップ４Ａ、４Ｂを有し、夫々収容部１の開口部１０を跨ぐように設けられている。
【００２２】
ストラップ４Ａ、４Ｂは、収容部１を乳児Ｂの身体の幅方向で囲む環状を呈し、収容部１の外底部１２及び乳児Ｂの身体の幅方向に対応する両側の外側壁１３に対して、縫製により固着されている。
【００２３】
隣り合うストラップ４Ａ、４Ｂの間隔は、平均的な成人の肩幅に対応する間隔として設定されているが、担いだ際のずれ防止や幅調整のため、ストラップ４Ａ、４Ｂの間隔を調整する調整ベルト４Ｃが備えられている。
【００２４】
調整ベルト４Ｃは、搬送者Ｃの背中側でストラップ４Ａ、４Ｂにわたるように設けられており、この調整ベルト４Ｃの長さを調整することで、担いだ際のストラップ４Ａ、４Ｂのずれ防止やストラップ４Ａ、４Ｂの幅調整を行うようにされている。
【００２５】
ストラップ４Ａ、４Ｂは、周方向の中途において長さを調節する長さ調整部４Ｄが備えられており、この長さ調整部４Ｄによって、ストラップ４Ａ、４Ｂの長さを調整することで、搬送者Ｃが搬送しやすい状態にすることができるようになっている。
【００２６】
反射体５は、柔軟性を有するテープ状のものであり、収容部１の前面に貼り付けられている。
【００２７】
この反射体５は、照射光を反射する機能有するもの、蓄光機能を有するもの等が例示でき、夜間の避難時において反射又は蓄光による発光によって、着用者Ｂの存在を示すことができる。
【００２８】
以上のような構成のキャリークーハンＡによると、収容部１に乳児Ｂを寝かせる際には、身体部カバー体２Ｂをめくり上げておき、収容部１の底部１１に乳児Ｂを寝かせる。
【００２９】
底部１１に乳児Ｂを寝かせる際には、乳児Ｂの頭部Ｂ１から顔面Ｂ３が頭部カバー体２Ａで覆われる位置となるようにする。
【００３０】
底部１１に乳児Ｂを寝かせた状態において、身体部カバー体２Ｂを乳児Ｂに被せることで、乳児Ｂの脚部Ｂ２から胸部Ｂ４の範囲を覆うことができる。
【００３１】
身体部カバー体２Ｂを乳児Ｂに被せた状態で、固定ベルト部３のベルト体３Ａ、３Ｂを身体部カバー体２Ｂの上から乳児Ｂの身体の上に跨がせて、長さ調節しながらバックルＣで連結することで、乳児Ｂの身体がずれないように固定されると共に、乳児Ｂの身体を保護した状態にされる。
【００３２】
収容部１に乳児Ｂを固定した後に、収容部１を搬送者Ｃの前方に位置させると共に、収容部１の長手方向を搬送者Ｃの身体の幅方向に沿わせた状態で、肩掛けストラップ４のストラップ４Ａ、４Ｂを夫々搬送者Ｃの右肩、左肩に掛けることによって、搬送可能な状態にすることができる。
【００３３】
すなわち、キャリークーハンＡは、乳児Ｂの身体がずれないように固定されていると共に、乳児Ｂの身体が保護されており、搬送者Ｃが担いだ状態において、肩掛けストラップ４が搬送者Ｃの両肩に掛けられていると共に、収容部１が搬送者Ｃの前方に位置しているため、災害時における避難時に安定よく、且つ容易に搬送でき、しかも乳児Ｂに対する安全性を高めることができる。
【００３４】
なお、本考案は、例示した実施の形態に限定するものでは無く、実用新案登録請求の範囲の各項に記載された内容から逸脱しない範囲の構成による実施が可能である。
【符号の説明】
【００３５】
Ａ：キャリークーハン
Ｂ：乳児
Ｃ：搬送者
１：収容部
２：カバー部
３：固定ベルト部
４：肩掛けストラップ部
１０：開口部
１１：底部
Ｂ１：頭部
Ｂ２：脚部
Ｂ３：顔面
Ｂ４：胸部
２Ａ：頭部カバー体
２Ｂ：身体部カバー体
４Ａ：ストラップ
４Ｂ：ストラップ
５：反射体
【図１】
0003218490.tif 000003
【図２】
0003218490.tif 000004
【図３】
0003218490.tif 000005